(57)【特許請求の範囲】
【請求項１】
顧客の操作に応じて各種取引を行なう複数の自動取引装置と、
専用線を介して該複数の自動取引装置と通信可能に接続され、取引を管理する管理装置とをそなえてなる自動取引システムであって、
該複数の自動取引装置のうちの第１の自動取引装置が、振込取引時に振込先に対するメッセージを入力するためのメッセージ入力部を有するとともに、公衆通信網を介して、該メッセージ入力部から入力されたメッセージを保管するメッセージ保管部と通信可能に接続され、
該第１の自動取引装置において顧客が振込取引時に該メッセージ入力部から振込先に対するメッセージを入力した場合、そのメッセージを、該第１の自動取引装置から該公衆通信網を介して該メッセージ保管部へ送信し該メッセージ保管部で保管するとともに、振込情報とそのメッセージの保管場所情報とを、該第１の自動取引装置から該専用線を介して該管理装置へ送信し該管理装置により管理することを特徴とする、自動取引システム。
【請求項２】
該第１の自動取引装置と情報端末とが該公衆通信網を介して通信可能に接続されており、
該第１の自動取引装置が、該公衆通信網を介して該情報端末に対し前記メッセージの保管場所情報を通知することを特徴とする、請求項１記載の自動取引システム。
【請求項３】
該管理装置と情報端末とが該公衆通信網を介して通信可能に接続され、
該管理装置が、該公衆通信網を介して該情報端末に対し前記メッセージの保管場所情報を通知することを特徴とする、請求項１記載の自動取引システム。
【請求項４】
該情報端末において、振込先顧客が前記メッセージの保管場所情報の通知を認識した場合、振込元からのメッセージを、通知された保管場所情報に基づいて該メッセージ保管部から読み出し該情報端末で再生することを特徴とする、請求項２または請求項３に記載の自動取引システム。
【請求項５】
該複数の自動取引装置のうちの第２の自動取引装置が、該公衆通信網を介して該メッセージ保管部と通信可能に接続されるとともに、該メッセージ保管部に保管されている振込元からのメッセージを再生するメッセージ再生部を有しており、
該第２の自動取引装置において、振込先顧客が振込元からのメッセージがあることを認識した場合、振込元からのメッセージを、該管理装置から得た保管場所情報に基づいて該メッセージ保管部から読み出し、該メッセージ再生部で再生することを特徴とする、請求項１記載の自動取引システム。
【請求項６】
該複数の自動取引装置のうちの第２の自動取引装置において、振込先顧客が振込元からのメッセージがあることを認識した場合、振込元からのメッセージの保管場所情報を、該管理装置から得て、前記振込先顧客の通帳に印字し、前記振込先顧客に通知することを特徴とする、請求項１記載の自動取引システム。
【請求項７】
該複数の自動取引装置のうちの第２の自動取引装置において、振込先顧客が振込元からのメッセージがあることを認識した場合、振込元からのメッセージの保管場所情報を、該管理装置から得て、前記振込先顧客への伝票に印字し、前記振込先顧客に通知することを特徴とする、請求項１記載の自動取引システム。
【請求項８】
該メッセージ保管部が、該公衆通信網を介して、該メッセージ保管部に保管されている振込元からのメッセージを再生するメッセージ再生機能付き情報端末と通信可能に接続され、
該メッセージ再生機能付き情報端末において、振込元からのメッセージを、通知された保管場所情報に基づいて該メッセージ保管部から読み出し該メッセージ再生機能付き情報端末で再生することを特徴とする、請求項２，請求項３，請求項６および請求項７のいずれか１項に記載の自動取引システム。
【請求項９】
該管理装置が、該公衆通信網を介して、振込取引機能と振込取引時に振込先に対するメッセージを入力するためのメッセージ入力機能とを有する情報端末と通信可能に接続され、
該情報端末において顧客が振込取引時に該メッセージ入力機能により振込先に対するメッセージを入力した場合、そのメッセージを、該情報端末から該公衆通信網を介して該メッセージ保管部へ送信し該メッセージ保管部で保管するとともに、振込情報とそのメッセージの保管場所情報とを、該情報端末から該公衆通信網を介して該管理装置へ送信し該管理装置により管理することを特徴とする、請求項１記載の自動取引システム。
【請求項１０】
該第１の自動取引装置において行なわれた振込取引が、該管理装置で用いられる電文形式とは異なる電文形式により取引を管理する他の管理装置下に属する振込先に対するものである場合、振込情報とそのメッセージの保管場所情報とを、該第１の自動取引装置から該専用線を介して該管理装置へ送信し、さらに、該管理装置から該他の管理装置へ送信することを特徴とする、請求項１記載の自動取引システム。
【請求項１１】
該他の管理装置により管理される第３の自動取引装置が、該公衆通信網を介して該メッセージ保管部と通信可能に接続されるとともに、該メッセージ保管部に保管されている振込元からのメッセージを再生するメッセージ再生部を有しており、
該第３の自動取引装置において、振込先顧客が振込元からのメッセージがあることを認識した場合、振込元からのメッセージを、該他の管理装置から得た保管場所情報に基づいて該メッセージ保管部から読み出し、該メッセージ再生部で再生することを特徴とする、請求項１０記載の自動取引システム。
【請求項１２】
前記メッセージが画像データを含むことを特徴とする、請求項１〜請求項１１のいずれか１項に記載の自動取引システム。
【請求項１３】
前記メッセージが音声データを含むことを特徴とする、請求項１〜請求項１２のいずれか１項に記載の自動取引システム。
【請求項１４】
該公衆通信網がインターネットを含むことを特徴とする、請求項１〜請求項１３のいずれか１項に記載の自動取引システム。
【請求項１５】
該公衆通信網がイントラネットを含むことを特徴とする、請求項１〜請求項１４のいずれか１項に記載の自動取引システム。
【請求項１６】
該メッセージ保管部が、該公衆通信網に接続されたメッセージサーバであることを特徴とする、請求項１〜請求項１５のいずれか１項に記載の自動取引システム。
【発明の詳細な説明】
（目次）
発明の属する技術分野
従来の技術
発明が解決しようとする課題
課題を解決するための手段
発明の実施の形態（図１〜図９）
発明の効果
【０００１】
【発明の属する技術分野】
本発明は、顧客の操作に応じて各種取引を行なう複数の自動取引装置と、専用線を介して複数の自動取引装置と通信可能に接続され、取引を管理するホストコンピュータとをそなえた自動取引システムであって、金融機関等における振込取引に用いて好適な、自動取引システムに関する。
【０００２】
【従来の技術】
従来の金融機関等における自動取引システムにおいて、自動取引装置（ＡＴＭ：Automated Tellers Machine ）を用いて特定の振込先へ振込取引を行なう際には、振込依頼人（振込元）が、振込先に関する情報とともに振込依頼人の名前や電話番号等をＡＴＭの操作パネル等から入力したり、又、これらの情報をあらかじめ登録して作成した振込券等を用いたりすることにより、振込元に関する情報を入力するようになっている。
【０００３】
そして、勘定系ホストコンピュータ（管理装置）においては、ＡＴＭから入力された処理に従って振込処理を行なうとともに、上述のごとく入力された振込元に関する情報を振込先に送信し、例えば、振込先の通帳等に振込依頼人名等を印字する。振込先においては、これらの振込元に関する情報（依頼人名等）に基づいて振込元を判別し、特定するのである。
【０００４】
また、振込元の確認の便宜等を図るために、振込取引に伴って振込先に対するメッセージを付加したいという要求がある。
例えば、ＡＴＭにおける振込処理時に、キーボードからメッセージを入力させる手法（特開昭６１−１５３７６２号公報参照）や、あらかじめ設定された複数の定型文をＡＴＭの表示部に表示して、振込依頼人がこれらの定型文の中から所望の定型文を選択できるようにしておき、振込依頼人が特定の定型文を選択すると、振込先の通帳等に、上述の情報（振込依頼人名や電話番号等）とともに選択された定型文を印字する手法（特開平１０−９１８４１号公報参照）も知られており、これらにより、振込依頼人（振込元）から振込先に対して、上述の情報（振込依頼人名，電話番号等）以外のメッセージを伝達して、振込先顧客や振込依頼人の利便性を向上させている。
【０００５】
しかしながら、これらのような振込先に対して定型文等の文字のメッセージを送信する手法では、伝達されるメッセージが文字や記号だけなので、振込依頼人（振込元）と振込先顧客との間のコミュニケーションは限定されたものになり、又、振込先顧客が振込元を確認する際においても、振込先顧客は、通帳や伝票に印字された振込依頼人名やメッセージの内容から振込元を判断しなければならず、実際に振込取引を行なった者を確認することができない。
【０００６】
そこで、ＡＴＭにおける振込取引時に、振込依頼人に、文字や手書き文字／手書き画像等による振込先に対するメッセージを入力ペン等を用いて入力させ、このメッセージをテキストデータやイメージデータとして振込情報に付加してホストコンピュータに送信して、振込先の通帳や伝票に記入することにより、振込取引時における利便性を向上させる手法が特開平９−２１８９７１号公報に開示されている。
【０００７】
また、ＡＴＭにおける振込取引時に、振込依頼人に、ＡＴＭにそなえられたカメラや音声入力部から振込先に対するメッセージ（画像，音声）を入力させ、これらの画像や音声による振込元からのメッセージを振込先に関する情報とともに勘定系ホストコンピュータに保管しておき、その後、振込先顧客がＡＴＭを用いて取引を行なった時に、勘定系ホストコンピュータに保管しているこれらのメッセージを、かかるＡＴＭに電文として送信し、このメッセージをＡＴＭの出力装置から出力する手法が特開平７−３１９９７５号公報に開示されている。
【０００８】
【発明が解決しようとする課題】
しかしながら、上述の従来の自動取引システムにおいて、特開平９−２１８９７１号公報や、特開平７−３１９９７５号公報に開示されたような、画像や音声を振込先に対するメッセージとして送受信する手法においては、これらの画像や音声のメッセージを、一旦、勘定系ホストコンピュータに電文として登録するのであるが、一般に画像や音声はテキストデータと比較してデータ量が膨大になるので、勘定系ホストコンピュータにおいて大量のメッセージデータを記憶するための記憶領域を確保しなければならず、又、ＡＴＭと勘定系ホストコンピュータとを接続する通信回線においては、大量のデータの送受信に耐えうる高速な通信回線が必要になる。従って、この手法を実現するためには既存の情報基盤を全て変更しなければならず、多大な設備投資が必要になり、現状のシステムで実際にこの手法を用いてメッセージの送受信を行なうことは不可能である。
【０００９】
さらに、一般に、金融機関毎で勘定系ホストコンピュータの電文形式が異なるので、データの電文形式を変換する必要がある。このとき、振込情報等のテキストデータに関してはデータ量が比較的少ないので高速に変換することができるのであるが、画像データや音声データのような大量のデータの変換には多大な時間を要するので、画像データや音声データを含むメッセージの送信は実質的に不可能である。
【００１０】
本発明は、このような課題に鑑み創案されたもので、メッセージの送受信経路および保管場所に工夫を施すことにより、自動取引装置において、振込元から振込先に対してデータ量の大きい画像データや音声データを含むメッセージを送信することができるほか、電文形式の異なる管理装置下に属する振込先にも画像データや音声データを含むメッセージを送信することができ、更に、振込先においては、場所，時間，端末等の制約を受けることなくメッセージを送受信することができるようにして、顧客の利便性の向上をはかった自動取引システムを提供することを目的とする。
【００１１】
【課題を解決するための手段】
このため、本発明の自動取引システムは、顧客の操作に応じて各種取引を行なう複数の自動取引装置と、専用線を介して複数の自動取引装置と通信可能に接続され、取引を管理する管理装置とをそなえてなる自動取引システムであって、複数の自動取引装置のうちの第１の自動取引装置が、振込取引時に振込先に対するメッセージを入力するためのメッセージ入力部を有するとともに、公衆通信網を介して、メッセージ入力部から入力されたメッセージを保管するメッセージ保管部と通信可能に接続され、第１の自動取引装置において顧客が振込取引時にメッセージ入力部から振込先に対するメッセージを入力した場合、そのメッセージを、第１の自動取引装置から公衆通信網を介してメッセージ保管部へ送信しこのメッセージ保管部で保管するとともに、振込情報とそのメッセージの保管場所情報とを、第１の自動取引装置から専用線を介して管理装置へ送信し管理装置により管理することを特徴としている（請求項１）。
【００１２】
なお、請求項１記載の自動取引システムにおいて、第１の自動取引装置と情報端末とが公衆通信網を介して通信可能に接続されており、第１の自動取引装置が、公衆通信網を介して情報端末に対しメッセージの保管場所情報を通知してもよい（請求項２）。
また、管理装置と情報端末とが公衆通信網を介して通信可能に接続され、管理装置が、公衆通信網を介して情報端末に対しメッセージの保管場所情報を通知してもよい（請求項３）。
【００１３】
さらに、情報端末において、振込先顧客がメッセージの保管場所情報の通知を認識した場合、振込元からのメッセージを、通知された保管場所情報に基づいてメッセージ保管部から読み出し情報端末で再生してもよい（請求項４）。
また、複数の自動取引装置のうちの第２の自動取引装置が、公衆通信網を介してメッセージ保管部と通信可能に接続されるとともに、メッセージ保管部に保管されている振込元からのメッセージを再生するメッセージ再生部を有しており、第２の自動取引装置において、振込先顧客が振込元からのメッセージがあることを認識した場合、振込元からのメッセージを、管理装置から得た保管場所情報に基づいてメッセージ保管部から読み出し、メッセージ再生部で再生してもよい（請求項５）。
【００１４】
なお、複数の自動取引装置のうちの第２の自動取引装置において、振込先顧客が振込元からのメッセージがあることを認識した場合、振込元からのメッセージの保管場所情報を、管理装置から得て、振込先顧客の通帳に印字し、振込先顧客に通知してもよく（請求項６）、又、振込先顧客への伝票に印字し、前記振込先顧客に通知してもよい（請求項７）。
【００１５】
また、メッセージ保管部が、公衆通信網を介して、メッセージ保管部に保管されている振込元からのメッセージを再生するメッセージ再生機能付き情報端末と通信可能に接続され、メッセージ再生機能付き情報端末において、振込元からのメッセージを、通知された保管場所情報に基づいてメッセージ保管部から読み出しメッセージ再生機能付き情報端末で再生してもよい（請求項８）。
【００１６】
さらに、管理装置が、公衆通信網を介して、振込取引機能と振込取引時に振込先に対するメッセージを入力するためのメッセージ入力機能とを有する情報端末と通信可能に接続され、情報端末において顧客が振込取引時に該メッセージ入力機能により振込先に対するメッセージを入力した場合、そのメッセージを、情報端末から公衆通信網を介してメッセージ保管部へ送信しこのメッセージ保管部で保管するとともに、振込情報とそのメッセージの保管場所情報とを、情報端末から公衆通信網を介して管理装置へ送信しこの管理装置により管理してもよい（請求項９）。
【００１７】
また、第１の自動取引装置において行なわれた振込取引が、管理装置で用いられる電文形式とは異なる電文形式により取引を管理する他の管理装置下に属する振込先に対するものである場合、振込情報とそのメッセージの保管場所情報とを、第１の自動取引装置から専用線を介して管理装置へ送信し、さらに、管理装置から他の管理装置へ送信してもよい（請求項１０）。
【００１８】
さらに、他の管理装置により管理される第３の自動取引装置が、公衆通信網を介してメッセージ保管部と通信可能に接続されるとともに、メッセージ保管部に保管されている振込元からのメッセージを再生して出力するメッセージ再生部を有しており、第３の自動取引装置において、振込先顧客が振込元からのメッセージがあることを認識した場合、振込元からのメッセージを、他の管理装置から得た保管場所情報に基づいてメッセージ保管部から読み出し、メッセージ再生部で再生してもよい（請求項１１）。
【００１９】
なお、メッセージが画像データを含んでもよく（請求項１２）、又、メッセージが音声データを含んでもよい（請求項１３）。
また、公衆通信網がインターネットを含んでもよく（請求項１４）、公衆通信網がイントラネットを含んでもよい（請求項１５）。
さらに、メッセージ保管部が、公衆通信網に接続されたメッセージサーバであってもよい（請求項１６）。
【００２０】
【発明の実施の形態】
以下、図面を参照して本発明の実施の形態を説明する。
図１は本発明の一実施形態としての自動取引システムの構成を示すブロック図であり、本自動取引システムは、この図１に示すように、勘定系ホストコンピュータ（管理装置）１，ＡＴＭ（第１の自動取引装置）２，ＡＴＭ（第２の自動取引装置）３，メッセージサーバ４，パーソナルコンピュータ（情報端末）５，６，情報端末（メッセージ再生機能付き情報端末）７，勘定系ホストコンピュータ（他の管理装置）８，ＡＴＭ（第３の自動取引装置）９，インターネット／イントラネット（公衆通信網）１１および専用線１３〜１６をそなえて構成されている。
【００２１】
インターネット／イントラネット(Internet ／Intranet）１１は、ローカルなネットワークを相互接続して構成されたネットワーク（公衆通信網）であり、特定機関の内部的な情報システムとしてインターネット技術を用いて構築されたイントラネットや、このイントラネットどうしを相互接続して構成するエクストラネット（Extranet) を含むものである。
【００２２】
イントラネットは、ともに特定機関の内部的な情報システムとしてインターネット技術を用いて構築されたネットワーク（公衆通信網）であって、ファイアウォール等のセキュリティ技術によって正当な権利を有していない者の外部からの不正なアクセスから保護されていて、各金融機関の構内通信システムとして構築されている。
【００２３】
ＡＴＭ（Automated Tellers Machine ）２，３は、ともに顧客の操作に応じて各種取引を行なうものである。
ＡＴＭ２は、顧客の操作に応じて各種取引を行なうものであって、勘定系ホストコンピュータ１と専用線１３を介して通信可能に接続されており、ＡＴＭ２における操作部から顧客が行なった種々の処理内容（振込手続等）を勘定系ホストコンピュータ１に送信し、又、勘定系ホストコンピュータ１からの種々の命令やデータ等を受信して表示部（後述するディスプレイ３４）に表示させたりするようになっている。
【００２４】
なお、ＡＴＭ２，３，９，パーソナルコンピュータ５，６および情報端末７は、それぞれ本自動取引システムにおいて複数そなえられているのであるが、図１においては、便宜上、それぞれ１台づつ示している。
また、ＡＴＭ２は、音声再生出力部（メッセージ再生部）３１，音声入力部（メッセージ入力部）３２，画像入力部（メッセージ入力部）３３およびディスプレイ（画像再生出力部，メッセージ再生部）３４をそなえて構成されている。
【００２５】
音声再生出力部３１は、ＡＴＭ２から顧客への音声による指示を出力したり、振込元からの音声によるメッセージ（音声データ）の再生を行なうためのもので、例えば、スピーカによって構成されている。音声入力部３２は、顧客（振込依頼人）の音声によるメッセージをＡＴＭ内に音声データとして取り込むためのものであり、例えば、マイクによって構成される。なお、本実施形態においては、これらの音声再生出力部３１および音声入力部３２は、受話器のスピーカおよびマイクとして構成されている。
【００２６】
画像入力部３３は、顧客の画像によるメッセージをＡＴＭ２内に画像データとして取り込むためのものであり、例えば、カメラ，スキャナ，種々の入力端子等によって構成される。
ディスプレイ３４は、例えば、タッチセンサパネルをそなえたモニタにより構成され、ＡＴＭ２の表示部および操作部として機能するとともに、後述するごとく画像データのメッセージを再生する画像再生出力部としても機能するようになっている。
【００２７】
さらに、ＡＴＭ２は、ＬＡＮボード等（図示せず）を介してインターネット／イントラネット１１に通信可能に接続されていて、後述するように、顧客（振込依頼人）が振込取引時に音声入力部３２や画像入力部３３を介して入力した振込先に対するメッセージ（音声データや画像データ）を、インターネット／イントラネット１１に接続されたメッセージサーバ４に送信するようになっている。
【００２８】
さらに、ＡＴＭ２においては、振込先顧客が、ＡＴＭ２，９等において伝票や通帳に印字されたメッセージ保管場所情報に基づいて、例えば、インターネットアドレス等をその入力手段を用いて入力することにより、メッセージサーバ４によって保管されているそのメッセージを読み出して再生することができるようになっている。
【００２９】
そして、ＡＴＭ２は、振込取引時に顧客が行なった振込取引に関する情報（振込情報）と、メッセージサーバ４から送信されたメッセージの保管場所情報とを専用線１３を介して勘定系ホストコンピュータ１に送信するようになっている。ＡＴＭ３も、顧客の操作に応じて各種取引を行なうものであって、勘定系ホストコンピュータ１と専用線１３を介して通信可能に接続されており、ＡＴＭ３において顧客が行なった種々の処理内容（振込手続等）を勘定系ホストコンピュータ１に送信し、又、この勘定系ホストコンピュータ１から送信される種々の命令やデータ等を受信して表示部に表示させたりするようになっている。
【００３０】
また、ＡＴＭ３は、音声再生出力部（メッセージ再生部）３１，音声入力部（メッセージ入力部）３２，画像入力部３３（メッセージ入力部）３３およびディスプレイ（画像再生出力部，メッセージ再生部）３４をそなえて構成されており、画像入力部３３をそなえていない他は、前述のＡＴＭ２と同様の構成・機能を有している。
【００３１】
専用線１３〜１６は、それぞれ特定の区間を交換機を介すことなく固定的に設定される特定通信回線であり、具体的には、専用線１３は勘定系ホストコンピュータ１とＡＴＭ２とを、専用線１４はＡＴＭ３と勘定系ホストコンピュータ１とを、専用線１５は勘定系ホストコンピュータ１と勘定系ホストコンピュータ８とを、専用線１６は勘定系ホストコンピュータ８とＡＴＭ９とをそれぞれ通信可能に接続するためのものである。
【００３２】
メッセージサーバ４は、ハードディスク４１をそなえており、又、インターネット／イントラネット１１に接続されていて、このインターネット／イントラネット１１を介して、ＡＴＭ２，３，９，パーソナルコンピュータ５，６および情報端末７と通信可能に接続されている。
そして、メッセージサーバ４は、ＡＴＭ２，３，９やパーソナルコンピュータ６（後述）からそれぞれ送信されたメッセージを受信したときに、それらのメッセージをハードディスク４１内に保管するようになっており、ＡＴＭ２，３，９やパーソナルコンピュータ６の画像入力部３３や音声入力部３２から入力されたメッセージを保管する、メッセージ保管部として機能するようになっている。
【００３３】
また、メッセージサーバ４は、メッセージをハードディスク４１に保管した後、そのメッセージの保管場所（例えば、インターネットアドレス）を保管場所情報としてＡＴＭ２，３，９やパーソナルコンピュータ６に送信するようになっている。
さらに、メッセージサーバ４によってハードディスク４１に保管されたメッセージは、ＡＴＭ２，３，９，パーソナルコンピュータ５，６および情報端末７から、それぞれインターネット／イントラネット１１を介して読み出すことができるようになっており、更に、これらのＡＴＭ２，３，９，パーソナルコンピュータ５，６および情報端末７において、これらの読み出されたメッセージを再生することができるようになっている。
【００３４】
また、これらのＡＴＭ２，３，９，パーソナルコンピュータ５，６および情報端末７によって、ハードディスク４１に保管されたこれらのメッセージを消去することもできるようになっている。
パーソナルコンピュータ（情報端末）５は、ＬＡＮボード（図示せず）等を介してインターネット／イントラネット１１に接続されており、インターネット／イントラネット１１に接続されているＡＴＭ２，３，９やパーソナルコンピュータ６等から送信された電子メールを受信することができるようになっている。
【００３５】
また、パーソナルコンピュータ５は、画像（静止画像や動画）をディスプレイ３４に表示するための機能（例えば、インターネット・エクスプローラやネットスケープ・ナビゲータ等のブラウザ）や、音声を再生するための機能（スピーカ）をそなえていて、メッセージサーバ４によって保管されているメッセージをインターネット／イントラネット１１を介して読み出して再生することができるようになっている。
【００３６】
パーソナルコンピュータ（情報端末）６も、パーソナルコンピュータ５と同様に、ＬＡＮボード（図示せず）等を介してインターネット／イントラネット１１に接続されており、ＡＴＭ２，３，９やパーソナルコンピュータ５等から送信された電子メールを受信することができるようになっており、更に、画像や音声を再生する機能（スピーカ３１′およびディスプレイ３４′）をそなえている。
【００３７】
さらに、パーソナルコンピュータ６は、勘定系ホストコンピュータ１ともインターネット／イントラネット１１を介して通信可能に接続されており、現金の取り扱いを伴わない種々の取引、例えば、振込処理や残高確認等を行なうことができるようになっている。そして、パーソナルコンピュータ６は、顧客が行なったこれらの取引に関する情報をインターネット／イントラネット１１を介して勘定系ホストコンピュータ１に送信したり、勘定系ホストコンピュータ１から送信される種々の命令やデータ等を受信して処理するようになっている。
【００３８】
また、パーソナルコンピュータ６は、音声入力部３２′および画像入力部３３′をそなえており、振込処理時に、音声入力部３２′を用いて音声によるメッセージ（音声データ）を入力したり、画像入力部３３′を用いて画像によるメッセージ（画像データ）を入力したりすることができるようになっている。
さらに、パーソナルコンピュータ６は、振込処理を行なった顧客（振込依頼人）が振込取引時に音声入力部３２′や画像入力部３３′を用いて入力した振込先に対するメッセージ（音声データ，画像データ）を、インターネット／イントラネット１１に接続されたメッセージサーバ４に送信するようになっており、更に、このメッセージサーバ４から送信される、このメッセージの保管場所情報を受信するようになっている。
【００３９】
そして、パーソナルコンピュータ６は、顧客が行なった振込取引に関する情報（振込情報）と、メッセージサーバ４から送信されたメッセージの保管場所情報とを、専用線１３を介して勘定系ホストコンピュータ１に送信するようになっている。
情報端末（メッセージ再生機能付き情報端末）７は、スピーカ３１″およびディスプレイ３４″をそなえるとともに、キーボードやタッチパネル等の図示しない入力手段をそなえて構成されており、又、ＬＡＮボード（図示せず）等を介してインターネット／イントラネット１１に接続されている。
【００４０】
また、情報端末７は、画像（静止画像，動画を含む）をディスプレイ３４″に表示するための機能（例えば、インターネットエクスプローラやネットスケープ・ナビゲータ等のブラウザ）や、スピーカ３１″で音声を再生するための機能をそなえており、インターネット／イントラネット１１を介してメッセージサーバ４に保管されている振込元からのメッセージを再生するメッセージ再生機能を有している。
【００４１】
そして、情報端末７においては、振込先顧客が、ＡＴＭ２，３，９等において伝票や通帳に印字されたメッセージ保管場所情報に基づいて、例えば、インターネットアドレス等をその入力手段を用いて入力することにより、メッセージサーバ４によって保管されているそのメッセージを読み出して再生することができるようになっている。なお、この情報端末７は、例えばコンビニエンスストアや駅等に配設される。
【００４２】
勘定系ホストコンピュータ８も、専用線を介して複数のＡＴＭと通信可能に接続されるものであって、勘定系ホストコンピュータ１が属する金融機関とは異なる金融機関において、顧客の預金口座やその口座における預金残高等の取引を管理するものである。
この勘定系ホストコンピュータ８は、勘定系ホストコンピュータ１で用いられる電文形式とは異なる電文形式により取引を管理するものであって、他の管理装置として機能するものである。そして、勘定系ホストコンピュータ８は、ＡＴＭ９と専用線１６を介して通信可能に接続されていて、ＡＴＭ９において顧客によって行なわれた各種の取引を管理するようになっている。
【００４３】
そして、勘定系ホストコンピュータ８と勘定系ホストコンピュータ１との間においては、取引情報（振込情報等）とともに、少なくともメッセージの保管場所情報を専用線１５を介して相互に送受信できるようになっている。
ＡＴＭ９は、前述のＡＴＭ２，３と同様に、顧客の操作に応じて各種取引を行なうものであって、音声再生出力部（メッセージ再生部）３１，音声入力部（メッセージ入力部）３２，画像入力部（メッセージ入力部）３３およびディスプレイ（画像再生出力部，メッセージ再生部）３４をそなえて構成されている。
【００４４】
また、ＡＴＭ９は、勘定系ホストコンピュータ８と専用線１６を介して通信可能に接続されており、ＡＴＭ９において顧客が行なった種々の処理内容（振込手続等）を勘定系ホストコンピュータ８に送信し、又、勘定系ホストコンピュータ８からの種々の命令やデータ等を受信するようになっている。
さらに、ＡＴＭ９は、ＬＡＮボード等（図示せず）を介してインターネット／イントラネット１１に通信可能に接続されており、勘定系ホストコンピュータ８から送信されたメッセージの保管場所情報に基づいて、インターネット／イントラネット１１を介して、メッセージサーバ４に保管されたメッセージにアクセスして、これを再生することができるようになっている。
【００４５】
なお、本実施形態においては、顧客がＡＴＭ９から勘定系ホストコンピュータ１の下に属する振込先に対して振込取引を行なう場合においても、ＡＴＭ９の音声入力部３２および画像入力部３３から振込先に対してのメッセージを入力することができるようになっている。
この場合において、ＡＴＭ９において顧客によって入力されたメッセージは、インターネット／イントラネット１１に接続されたメッセージサーバ４や、他のメッセージサーバ（図示せず）等に保管され、そのメッセージの保管場所（例えば、インターネットアドレス）が保管場所情報としてＡＴＭ９に通知される。
【００４６】
そして、ＡＴＭ９は、これらのメッセージの保管場所情報を振込情報とともに勘定系ホストコンピュータ８に送信し、勘定系ホストコンピュータ８は、これらの振込情報とそのメッセージの保管場所情報とを顧客の預金口座やその口座における取引情報等とともに管理するようになっている。
上述の構成により、本自動取引システムにおいて振込依頼人（顧客）が振込先に対する振込取引を行ない、振込先顧客がその振込を確認する過程を、（１）ＡＴＭ２におけるメッセージの入力、（２）パーソナルコンピュータ６におけるメッセージの入力、（３）ＡＴＭ３におけるメッセージの受信・再生、（４）パーソナルコンピュータ５におけるメッセージの受信・再生、（５）パーソナルコンピュータ６におけるメッセージの受信・再生、（６）情報端末７におけるメッセージの受信・再生、および（７）ＡＴＭ９におけるメッセージの受信・再生の各工程に分けてそれぞれ説明する。
【００４７】
（１）ＡＴＭ２におけるメッセージの入力
図２は、本システムのＡＴＭ２におけるメッセージの入力および送信に関する工程を説明するためのフローチャート（ステップＡ１〜Ａ９）、図３〜図６はそれぞれディスプレイ３４に表示される画面の表示例を示すものであって、図３は振込先顧客に対してメッセージを送信するか否かを確認するための画面の表示例を示す図、図４は振込先顧客によりメッセージの送信を要求されている場合の画面の表示例を示す図、図５および図６はともに振込先顧客の電子メールアドレスを入力する場合の画面の表示例を示す図である。
【００４８】
なお、本実施形態においては、振込依頼人（顧客）がＡＴＭ２を用いて振込先に対して振込処理を行なうものであり、このＡＴＭ２が第１の自動取引装置として機能する場合について説明する。
さて、ＡＴＭ２において振込依頼人が振込先顧客に対する振込処理を行なうと、ＡＴＭ２は、そのディスプレイ３４に、図３に示すような「振込先様宛にメッセージを送信しますか？」という画面を表示させて、振込先顧客に対するメッセージの入力を行なうかどうかの確認を行なう（ステップＡ１）。
【００４９】
なお、本システムにおいては、振込先顧客が、振込先顧客の口座に対して振込取引を行なう全ての振込依頼人にメッセージの入力を要求するように、あらかじめ勘定系ホストコンピュータ１に設定することができるようになっており、このような設定を行なった場合には、図４に示すような「振込先様よりメッセージの送信を要求されています。メッセージを送信します。」という画面を表示させてもよい。
【００５０】
振込依頼人がメッセージの入力を行なう場合には（ステップＡ１のＹＥＳルート参照）、ＡＴＭ２は、メッセージの入力開始の合図をディスプレイ３４や音声再生出力部３１から行なった後、画像入力部３３により振込依頼人を撮影したり、音声入力部３２により振込依頼人の音声の録音を行なうことにより、振込依頼人の振込先顧客に対するメッセージの入力を行なう（ステップＡ２）。なお、このとき、ディスプレイ３４にキー入力部（例えば、図５参照）を表示し、このキー入力部を操作することにより、テキストデータによるメッセージを合わせて入力することも可能である。
【００５１】
そして、ＡＴＭ２は、これらの入力されたメッセージをディスプレイ３４や音声再生出力部３１によって再生し、振込依頼人に、この再生されたメッセージを送信してよいかどうかを確認する（ステップＡ３）。
振込依頼人が再生されたメッセージを気に入らず、再度メッセージの入力を行なう旨の選択を行なった場合には（ステップＡ３のＮＯルート参照）、再度、ステップＡ２に戻る。又、振込依頼人が、再生されたメッセージを送信してもよい旨の選択を行なった場合には（ステップＡ３のＹＥＳルート参照）、ＡＴＭ２は、このメッセージをインターネット／イントラネット１１を介してメッセージサーバ４へ送信する（ステップＡ４）。
【００５２】
メッセージを受信したメッセージサーバ４は、この受信したメッセージをハードディスク４１に保管した後、このメッセージの保管場所を保管場所情報（インターネットアドレス等）としてインターネット／イントラネット１１を介してＡＴＭ２に送信する（ステップＡ５）。
そして、メッセージサーバ４からメッセージの保管場所情報を受信したＡＴＭ２は、振込依頼人が行なった振込取引に関する振込情報とともに、このメッセージの保管場所情報を、専用線１３を介して勘定系ホストコンピュータ１に送信する（ステップＡ６）。
【００５３】
勘定系ホストコンピュータ１は、送信された振込情報に基づいて振込処理を行ない、更に、受信したメッセージの保管場所情報を、この振込情報とともに管理する。
次に、ＡＴＭ２は、振込依頼人から振込先へメッセージを入力した旨を通知するための電子メールを送信するかどうかを確認する（ステップＡ７）。
【００５４】
電子メールを送信する場合には（ステップＡ７のＹＥＳルート参照）、ＡＴＭ２は、図５に示すような、振込先顧客の電子メールアドレスの入力用画面をディスプレイ３４に表示させ、振込依頼人は、タッチセンサパネル等（ディスプレイ３４に表示されたキー入力部）から振込先顧客の電子メールアドレスを入力する（ステップＡ８）。
【００５５】
なお、振込依頼人に対してタッチセンサパネル等から振込先顧客の電子メールアドレスを入力させる代わりに、勘定系ホストコンピュータ１において、あらかじめ振込先顧客の電子メールアドレスを振込先顧客の口座情報とともに登録しておき、図６に示すように、この登録されている振込先顧客の電子メールアドレスをディスプレイ３４に表示させて、振込依頼人に確認させてもよく、これにより、振込依頼人が電子メールアドレスを入力する労力を削減することができるとともに、電子メールアドレスの誤入力を防止することができる。
【００５６】
そして、ＡＴＭ２は、入力された振込先顧客の電子メールアドレスに、例えば、「○○様より振込メッセージが届いております。振込メッセージは"http://www.****.****/****〜" に保管されております。」という文面を記述した電子メールを送信して、振込先顧客に対して振込メッセージが届いている旨およびその振込メッセージの保管場所を通知する（ステップＡ９）。
【００５７】
また、振込先顧客に対して電子メールを送信しない場合には（ステップＡ７のＮＯルート参照）、そのまま終了する。
一方、振込依頼人がメッセージの入力を行なわない場合には（ステップＡ１のＮＯルート参照）、ＡＴＭ２は、振込情報のみを勘定系ホストコンピュータ１に送信して処理を終了する。
【００５８】
（２）パーソナルコンピュータ６におけるメッセージの入力
パーソナルコンピュータ６において振込依頼人が振込先顧客に対する振込処理を行なった場合においても、前述したＡＴＭ２と同様に、振込先顧客に対するメッセージを送信することができる。
この場合、パーソナルコンピュータ６においては、メッセージは画像入力部３３′や音声入力部３２′を用いて入力され、又、振込情報およびメッセージはインターネット／イントラネット１１を介して勘定系ホストコンピュータ１に送信される。そして、振込依頼人に対して電子メールを送信する際には、振込依頼人は図示しないキーボードやマウスを用いて振込先顧客の電子メールアドレスが入力され、これらの点を除いては、ＡＴＭ２におけるメッセージの入力と略同様にして行なわれるのである。
【００５９】
（３）ＡＴＭ３におけるメッセージの受信・再生
図７は本システムのＡＴＭ３におけるメッセージの受信に関する工程を説明するためのフローチャート（ステップＢ１〜Ｂ６）、図８は振込先顧客に対するメッセージが届いていることを示すための画面の表示例を示す図である。
なお、本実施形態においては、振込先顧客がＡＴＭ３を用いて振込処理の確認を行なった際に、振込元（振込依頼人）からのメッセージがあることを認識した場合に、このＡＴＭ３を用いてメッセージを再生する工程を説明するものであり、このＡＴＭ３が第２の自動取引装置として機能する場合について説明する。
【００６０】
さて、振込先顧客がＡＴＭ３において、通帳記帳や預金引出し等の各種の取引処理を行なう場合には、ＡＴＭ３は、勘定系ホストコンピュータ１に管理されている振込情報を調べ、振込情報にメッセージの保管場所情報が付加されているかどうかを確認する（ステップＢ１）。
振込情報にメッセージの保管場所情報が付加されている場合には（ステップＢ１のＹＥＳルート参照）、ＡＴＭ３は、振込先顧客に対するメッセージがあると判断して、ディスプレイ３４に、図８に示すような、メッセージを再生するかどうかを振込先顧客に確認するための画面を表示させる（ステップＢ２）。
【００６１】
ここで、振込先顧客がタッチセンサパネル等を用いてメッセージを再生しない旨を選択すると（ステップＢ２のＮＯルート参照）、ＡＴＭ３は専用線１３を介して勘定系ホストコンピュータ１からメッセージの保管場所情報を受信し、このメッセージの保管場所情報を伝票や通帳に印字して（ステップＢ６）、処理を終了する。
【００６２】
また、振込先顧客がメッセージの再生を行なう旨の選択を行なった場合には（ステップＢ２のＹＥＳルート参照）、ＡＴＭ３は専用線１３を介して勘定系ホストコンピュータ１からメッセージの保管場所情報を受信し、次に、このメッセージの保管場所情報に基づいてインターネット／イントラネット１１を介してメッセージサーバ４からメッセージを受信した後、このメッセージをディスプレイ３４や音声再生出力部３１を用いて再生する（ステップＢ３）。
【００６３】
次に、ＡＴＭ３は、このメッセージをメッセージサーバ４に保管するかどうかを振込先顧客に確認するための表示をディスプレイ３４に行ない（ステップＢ４）、振込先顧客がメッセージを保管する旨の選択を行なった場合には（ステップＢ４のＹＥＳルート参照）、ＡＴＭ３は、メッセージの保管場所情報を伝票や通帳に印字した後（ステップＢ６）、処理を終了する。
【００６４】
なお、振込先顧客がメッセージを保管しない旨の選択を行なった場合には（ステップＢ４のＮＯルート参照）、ＡＴＭ３はかかるメッセージをハードディスク４１から削除した後（ステップＢ５）、処理を終了するのである。
また、振込情報にメッセージの保管場所情報が付加されていない場合には（ステップＢ１のＮＯルート参照）、そのまま処理を終了する。
【００６５】
なお、ディスプレイ３４や音声再生出力部３１をそなえておらず、メッセージの再生を行なう機能を有してないＡＴＭにおいては、メッセージの保管場所情報を伝票や通帳に印字して、後日、パーソナルコンピュータ５，６や情報端末７を用いてメッセージを受信することができるようにする。
（４）パーソナルコンピュータ５におけるメッセージの受信・再生
図９は本システムのパーソナルコンピュータ５におけるメッセージの受信に関する工程を説明するためのフローチャート（ステップＣ１〜Ｃ４）であり、この図９を用いて、パーソナルコンピュータ５においてメッセージを再生する工程を説明する。
【００６６】
パーソナルコンピュータ５において、振込元からのメッセージが届いている旨およびその振込メッセージの保管場所が記述されたＡＴＭ２からの電子メールを受信した後、そのメッセージをパーソナルコンピュータ５において再生する場合には、パーソナルコンピュータ５は、インターネット／イントラネット１１を介して、メッセージサーバ４に対してメッセージを送信するように要求し（ステップＣ１）、受信したメッセージを、ブラウザ等のアプリケーション等によってスピーカ３１′やディスプレイ３４′で再生する（ステップＣ２）。
【００６７】
そして、パーソナルコンピュータ５は、このメッセージをメッセージサーバ４に保管するかどうかを振込先顧客に確認するための表示をディスプレイ３４′に行ない（ステップＣ３）、振込先顧客がキーボードやマウス等を用いてメッセージを保管する旨の選択を行なった場合には（ステップＣ３のＹＥＳルート参照）、そのまま処理を終了する。
【００６８】
一方、振込先顧客がメッセージを保管しない旨の選択を行なった場合には（ステップＣ３のＮＯルート参照）、パーソナルコンピュータ５は、インターネット／イントラネット１１を介して、ハードディスク４１に保管されているメッセージデータを削除した後（ステップＣ４）、処理を終了するのである。
（５）パーソナルコンピュータ６におけるメッセージの受信・再生
パーソナルコンピュータ６においても、パーソナルコンピュータ５と同様に、電子メールの受信や、振込元からのメッセージの受信および再生を行なうことができるほか、更に、振込先顧客が、パーソナルコンピュータ６によって、インターネット／イントラネット１１を介して勘定系ホストコンピュータ１に接続して残高確認や振込処理等の各種の取引処理を行なう場合には、ＡＴＭ３と同様に、パーソナルコンピュータ６は勘定系ホストコンピュータ１に管理されている振込情報を調べ、振込情報にメッセージの保管場所情報が付加されているかどうかを確認する。
【００６９】
そして、振込情報にメッセージの保管場所情報が付加されている場合には、パーソナルコンピュータ６は、ＡＴＭ３やパーソナルコンピュータ５等と同様に、そのメッセージを再生するかどうかを振込先顧客に対して確認した後、メッセージの再生や保存、削除等を行なうのである。
（６）情報端末７におけるメッセージの受信・再生
情報端末７において、振込先顧客が、ＡＴＭによって伝票や通帳に印字されたメッセージの保管場所情報を入力することにより、情報端末７は、パーソナルコンピュータ５と同様に、メッセージサーバ４に対して、インターネット／イントラネット１１を介してメッセージを送信するように要求し、受信したメッセージを、ブラウザ等のアプリケーション等によってスピーカ３１″やディスプレイ３４″で再生する。
【００７０】
また、情報端末７は、パーソナルコンピュータ５，６およびＡＴＭ３と同様に、受信したメッセージを、ハードディスク４１に保存させたり削除したりすることができる。
（７）ＡＴＭ９におけるメッセージの受信・再生
振込先が勘定系ホストコンピュータ１で用いられる電文形式とは異なる電文形式により取引を管理する勘定系ホストコンピュータ８の管理下に属する場合において、その振込先顧客が通帳記帳や預金引出し等の各種の取引処理を行なう場合においても、前述の図７（ステップＢ１〜Ｂ６）を用いて説明したＡＴＭ３における場合と同様に、振込先顧客は、ＡＴＭ９においてメッセージの受信・再生や削除、および伝票や通帳等にメッセージの保管場所情報の印字を行なうことができる。なお、この場合においては、このＡＴＭ９が第３の自動取引装置として機能するものである。
【００７１】
この場合において、勘定系ホストコンピュータ１と勘定系ホストコンピュータ８との間において、少なくともメッセージの保管場所情報を相互に授受できるようにすることにより、電文形式が異なる勘定系ホストコンピュータの管理下の振込先にも、振込依頼人から振込先顧客に対するメッセージを送信することができる。
【００７２】
このように、本発明の一実施形態としての自動取引システムによれば、振込依頼人が入力したメッセージをインターネット／イントラネット１１に接続されたメッセージサーバ４のハードディスク４１に格納するので、インターネット／イントラネット１１に接続された情報機器、例えば、コンビニエンスストア等に配設された情報端末７や、顧客のパーソナルコンピュータ５，６から、そのメッセージの内容を確認することができ、振込先顧客が銀行等に行かずに振込元からのメッセージの内容を容易に確認することができ、メッセージ内容の確認に要する振込先顧客の労力を軽減することができるほか、利便性が向上する。
【００７３】
また、振込元からのメッセージをインターネット／イントラネット１１に接続されたメッセージサーバ４のハードディスク４１に格納し、勘定系ホストコンピュータ１，８においては振込情報とそのメッセージの保管場所情報だけを管理するので、画像（静止画像，動画像）データや音声データのようにデータ量が大きいメッセージを取り扱う場合においても、既存の勘定系ホストコンピュータ１，８や専用線１３，１４，１５，１６等の情報基盤を利用することができ経済的である。
【００７４】
また、勘定系ホストコンピュータ８と勘定系ホストコンピュータ１との間において、取引情報（振込情報）とともに、少なくともメッセージの保管場所情報を相互に送受信できるように構成することにより、振込依頼人が、異なる電文形式により取引を管理する勘定系ホストコンピュータ８の下に属する振込先に対する振込取引を行なう際においても、画像や音声等のメッセージの送受信を行なうことができる。
【００７５】
さらに、振込元からのメッセージの再生にあたり、インターネット／イントラネット１１に接続可能なパーソナルコンピュータ５，６や情報端末７からインターネット／イントラネット１１を介してメッセージにアクセスして再生することができるので、振込先顧客が銀行等に行かずにメッセージの内容を確認することができ、メッセージ内容の確認に要する振込先顧客の労力を軽減することができるほか、利便性が向上する。
【００７６】
また、振込取引時に、振込情報とともに、画像入力部３３および音声入力部３２から入力した画像（動画像，静止画像）や音声によるメッセージを振込先に対して送信することができるので、振込先顧客と振込依頼人との間における伝達等を円滑に行なうことができ、双方の労力を軽減することができる。
さらに、振込先顧客に、電子メールによって、振込依頼人からのメッセージが入力されたことを通知するので、振込先顧客が銀行等に行かなくても振込が行なわれたことやメッセージが入力されたことを知ることができるので、振込先顧客の労力を軽減することができる。
【００７７】
なお、上記実施形態に関わらず、本発明の趣旨を逸脱しない範囲で種々変形して実施することができる。
例えば、上記実施形態では、メッセージサーバ４は、メッセージをハードディスク４１に保管しているが、それに限定されるものではなく、メッセージサーバ４は、インターネット／イントラネット１１から接続可能な記憶用媒体にメッセージを保管してもよい。
【００７８】
また、上記実施形態では、公衆通信網としてインターネット／イントラネット１１を用いているが、それに限定するものではなく種々変形して実施することができ、インターネット技術等を用いて構成された他のネットワークであってもよい。
【００７９】
【発明の効果】
以上詳述したように、本発明の自動取引システムによれば、以下の効果ないし利点がある。
（１）振込先顧客が、振込元からのメッセージを公衆通信網を介してメッセージ保管部に接続された情報端末によって受信することができるので、振込先顧客が容易にメッセージを受信することができ、メッセージ内容の確認に要する振込先顧客の労力を軽減することができるほか、振込元顧客と振込先顧客との間で円滑に情報伝達を行なうことができ利便性が向上する（請求項１，請求項５）。
【００８０】
（２）振込元からのメッセージを専用線を介して送信したり、又、メッセージを管理装置内に保管することがないので、画像データや音声データ等のデータ量が大きいメッセージを取り扱う場合においても、第１の自動取引装置と管理装置との間における取引情報の通信に影響を与えることがないほか、既存の専用線や管理装置をそのまま用いることができ経済的である（請求項１）。
【００８１】
（３）振込先顧客が、振込元からメッセージが入力されたことを容易に知ることができるほか、メッセージの保管場所情報に基づいて、公衆通信網を介してメッセージ保管部に接続されている情報端末から容易にメッセージの内容を確認することができるので、振込元からのメッセージ内容の確認に要する振込先顧客の労力を軽減することができるほか、振込元顧客と振込先顧客との間で円滑に情報伝達を行なうことができ利便性が向上する（請求項２，請求項３）。
【００８２】
（４）振込先顧客が、メッセージの保管場所情報の通知を認識した後に、振込元からのメッセージの内容を容易に確認することができるので、振込先顧客がメッセージ内容を確認するために要する労力を軽減することができる（請求項４）。
（５）公衆通信網を介してメッセージ保管部に通信可能に接続された情報端末において、通帳や伝票に印字した振込元からのメッセージの保管場所情報に基づいて、メッセージを読み出し、再生することができるので、例えば、何らかの理由により、第２の自動取引装置取引装置においてメッセージの読み出し・再生を行なうことができない場合においても、振込先顧客が、振込元からのメッセージの内容を容易に確認することができ、メッセージ内容の確認に要する振込先顧客の労力を軽減することができるほか、振込元顧客と振込先顧客との間で円滑に情報伝達を行なうことができ利便性が向上する（請求項６，請求項７）。
【００８３】
（６）自動取引装置を用いることなく振込元からのメッセージを再生することができるので、振込先顧客が、振込元からのメッセージの内容を容易に確認することができ利便性が向上する（請求項８）。
（７）自動取引装置を用いることなく振込取引を行なうことができ、更に、この際に振込先に対するメッセージを入力することもできるので、顧客の利便性が向上する（請求項９）。
【００８４】
（８）異なる電文形式により取引を管理する他の管理装置下に属する振込先に対しても、振込元からのメッセージを送信することができ、又、この場合においても、メッセージが専用線を介して送信されたり、メッセージを管理装置内に保管することがないので、画像データや音声データ等のデータ量が大きいメッセージを取り扱う場合においても、第１の自動取引装置と管理装置との間の専用線や、管理装置と他の管理装置との間の専用線における取引情報の通信に影響を与えることがないほか、既存の専用線や管理装置をそのまま用いることができ経済的である（請求項１０，請求項１１）。
【００８５】
（９）振込先においては、振込元を画像や音声によって確認することができるので、利便性が向上する（請求項１２，１３）。
（１０）自動取引システムを簡易に構成することができるので経済的である（請求項１４）。
（１１）振込元からのメッセージの機密性を高めることができる（請求項１５）。
【００８６】
（１２）メッセージ保管部を確実に実現することができるほか、メッセージの取り扱いに対する信頼性も向上させることができ、本自動取引システムに対する信頼性を向上させることができる（請求項１６）。
【図面の簡単な説明】
【図１】本発明の一実施形態としての自動取引システムの構成を示すブロック図である。
【図２】本システムのＡＴＭにおけるメッセージの入力および送信に関する工程を説明するためのフローチャートである。
【図３】振込先顧客に対してメッセージを送信するか否かを確認するための画面の表示例を示す図である。
【図４】振込先顧客によりメッセージの送信を要求されている場合の画面の表示例を示す図である。
【図５】振込先顧客の電子メールアドレスを入力する場合の画面の表示例を示す図である。
【図６】振込先顧客の電子メールアドレスを入力する場合の画面の表示例を示す図である。
【図７】本システムのＡＴＭにおけるメッセージの受信に関する工程を説明するためのフローチャートである。
【図８】振込先顧客に対するメッセージが届いていることを示すための画面の表示例を示す図である。
【図９】本システムのパーソナルコンピュータにおけるメッセージの受信に関する工程を説明するためのフローチャートである。
【符号の説明】
１  勘定系ホストコンピュータ（管理装置）
２  ＡＴＭ（自動取引装置，第１の自動取引装置）
３  ＡＴＭ（自動取引装置，第２の自動取引装置）
４  メッセージサーバ（メッセージ保管部）
５  パーソナルコンピュータ（情報端末）
６  パーソナルコンピュータ（情報端末）
７  情報端末（メッセージ再生機能付き情報端末）
８  勘定系ホストコンピュータ（他の管理装置）
９  ＡＴＭ（自動取引装置，第３の自動取引装置）
１１  インターネット／イントラネット（公衆通信網）
１３，１４，１５，１６  専用線
３１  音声再生出力部（メッセージ再生部）
３１′，３１″  スピーカ
３２  音声入力部（メッセージ入力部）
３２′  音声入力部
３３  画像入力部（メッセージ入力部）
３３′  画像入力部
３４  ディスプレイ（画像再生出力部，メッセージ再生部）
３４′，３４″  ディスプレイ
４１  ハードディスク
【図１】
0003890166.tif 000002
【図２】
0003890166.tif 000003
【図３】
0003890166.tif 000004
【図４】
0003890166.tif 000005
【図５】
0003890166.tif 000006
【図６】
0003890166.tif 000007
【図７】
0003890166.tif 000008
【図８】
0003890166.tif 000009
【図９】
0003890166.tif 000010